(57)【要約】  【課題】  低コストで装置内を冷却することのできるターンテーブルを備えたディスク装置を提供すること。  【解決手段】  ターンテーブル１０の表面および裏面を貫通して形成された空気取込穴１３と、ターンテーブル１０の表面に形成されて一端が空気取込穴１３に連続し他端がターンテーブル１０の周囲に向けて開放された空気排出溝１４と、ターンテーブル１０の裏面の空気取込穴１３の周囲に形成された開放部１５ａを有するガイド壁１５とを備えている。ターテーブル１０が回転すると、空気が裏面のガイド壁１５に案内されて空気取込穴１３から流入して空気排出溝１４を通って排出されるため、装置内の空気に対流が生じて装置内を冷却することができる。【選択図】  図３
2005353114.tif 000002
【特許請求の範囲】
【請求項１】
ディスクを回転させるターンテーブルの表面および裏面を貫通して形成された空気取込穴と、前記ターンテーブルの表面に形成されて一端が前記空気取込穴に連続し他端が前記ターンテーブルの周囲に向けて開放された空気排出溝とを備えたことを特徴とするディスク装置。
【請求項２】
前記空気取込穴に連続する空気排出溝が、前記空気取込穴における前記ターンテーブルの回転方向とは反対側に向けて形成されていることを特徴とする請求項１に記載のディスク装置。
【請求項３】
前記ターンテーブルの裏面側の前記空気取込穴の周囲に一部を開放した開放部を有するガイド壁が形成されていることを特徴とする請求項１または請求項２に記載のディスク装置。
【請求項４】
前記ガイド壁の開放部が、前記空気取込穴における前記ターンテーブルの回転方向側に向けて形成されていることを特徴とする請求項１ないし請求項３のいずれかに記載のディスク装置。
【請求項５】
前記ガイド壁が円形、コ字形またはＵ字形に形成されていることを特徴とする請求項４に記載のディスク装置。
【発明の詳細な説明】
【技術分野】
【０００１】
本発明は、ディスクを回転させるためのターンテーブルを備えたディスク装置に関する。
【背景技術】
【０００２】
光ディスク記録再生装置等において、電源を投入して装置を起動させると、パワーアンプ等の電子部品からの発熱により、装置内部の温度が上昇して初期の特性が得られない場合がある。このため、従来は、放熱シートやフィン、送風ファン等を用いて電子部品を冷却していた。特に、外部からの塵埃の侵入を防止するために装置内を密閉構造とすると、電子部品からの発熱により装置内部が高温になるため、これを防止するために送風ファンを用いて内部の空気を強制的に還流させることが行われている（例えば、特許文献１参照）。
【特許文献１】特開昭６３−１２４２８２号公報
【発明の開示】
【発明が解決しようとする課題】
【０００３】
しかしながら、送風ファンや放熱シートを用いて装置内部を冷却する構造では、部品点数や組立工数が増加して装置コストが高くなり、また送風ファンを用いる場合は、騒音が発生するという問題があった。
【０００４】
本発明は、このような従来の問題を解決するためになされたもので、低コストで装置内を冷却することのできるディスク装置を提供することを目的とする。
【課題を解決するための手段】
【０００５】
本発明のディスク装置は、ディスクを回転させるターンテーブルの表面および裏面を貫通して形成された空気取込穴と、前記ターンテーブルの表面に形成されて一端が前記空気取込穴に連続し他端が前記ターンテーブルの周囲に向けて開放された空気排出溝とを備えた構成を有している。
【０００６】
この構成により、ターンテーブルがディスクを載置して回転するときに、空気取込穴の下部から空気が流入して上部の空気排出溝から空気が排出され、装置内の空気に対流が生じて装置内部を冷却することができ、空気取込穴と空気排出溝という単純な構成により、低コストで装置内を冷却することができる。
【０００７】
また、本発明のディスク装置は、前記空気取込穴に連続する空気排出溝が、前記空気取込穴における前記ターンテーブルの回転方向とは反対側に向けて形成された構成を有している。
【０００８】
この構成により、ターンテーブルがディスクを載置して回転するときに、空気取込穴の下部から流入した空気を、トレイル方向に形成された空気排出溝を流れやすくすることができる。
【０００９】
また、本発明のディスク装置は、前記ターンテーブルの裏面側の前記空気取込穴の周囲に一部を開放した開放部を有するガイド壁が形成された構成を有している。
【００１０】
この構成により、ターンテーブルがディスクを載置して回転するときに、空気取込穴の下部から空気を、ガイド壁を当てて取り込みやすくすることができる。
【００１１】
また、本発明のディスク装置は、前記ガイド壁の開放部が、前記空気取込穴における前記ターンテーブルの回転方向側に向けて形成されている構成を有している。
【００１２】
この構成により、ターンテーブルがディスクを載置して回転するときに、空気取込穴の下部から空気を、ガイド壁のアゲインスト方向に形成された開放部から取り込みやすくすることができる。
【００１３】
また、本発明のディスク装置は、前記ガイド壁が円形、コ字形またはＵ字形に形成された構成を有し、開放部を有するガイド壁を種々の形状で実現することができる。
【発明の効果】
【００１４】
本発明は、ディスク装置のターンテーブルが、表面および裏面を貫通して形成された空気取込穴と、同じ表面に形成されて一端が空気取込穴に連続し他端がターンテーブルの周囲に向けて開放された空気排出溝とを備えているので、ターンテーブルの回転時に空気取込穴と空気排出溝により生じる対流により装置内部を冷却でき、単純な構成で低コストで装置内を冷却することができるという効果を有するディスク装置を提供することができる。
【発明を実施するための最良の形態】
【００１５】
以下、本発明の実施の形態について、図面を用いて説明する。図１は本発明の実施の形態におけるディスクチェンジャー型の光ディスク装置の概略構成を示している。筐体１内にはディスクＤを収納するディスク収納部２が設けられている。このディスク収納部２は、ディスクＤを収納するための半月板状のトレイ３を上下に複数重ねて昇降可能に設けたものである。ディスクＤは、筐体１の前面に設けられたディスク挿入口４から挿入され、一対のローラからなるディスク搬送部５により筐体１内部に搬送され、丁度その高さ位置まで移動してきた複数枚のトレイ３のうちの空いているトレイの中に収納される。再生の際には、記録再生部６が、その回転軸７を中心に時計回り方向に揺動して、ターンテーブル１０のハブ１１にディスクＤの中心穴Ｈが保持される。その後、ターンテーブル１０がスピンドルモータ９により回転するとともに、記録再生部６の光ヘッド８がディスクＤを内周側から外周側へ移動して、ディスクＤに記録された信号を読み取って再生が行われる。
【００１６】
図２（ａ）は本実施の形態におけるターンテーブル１０の平面図、図２（ｂ）はその断面図、図２（ｃ）はその下面図を示している。ターンテーブル１０は、その中心部にスピンドルモータ９のスピンドルに固定される中心穴１２を有するハブ１１が形成されている。このハブ１１の周囲にディスクの中心穴Ｈが挿入され、この挿入を容易にするためにハブ１１の上面は斜面部１１ａに形成されている。そして、この斜面部１２ａに一部が掛かるように、ターンテーブル１０の表面および裏面を貫通して等間隔に４個の空気取込穴１３が形成されている。これら空気取込穴１３には、他端がターンテーブル１０の周囲に向けて開放された空気排出溝１４の一端が連続して形成されている。各空気排出溝１４は、各空気取込穴１３におけるターンテーブル１０の回転方向Ａとは反対側のトレイル方向に向けて、より詳しく言えば、ターンテーブル１０の中心と各空気取込穴１３の中心とを結ぶ直線に対して、ターンテーブル１０の回転方向Ａ側とは反対側の直交方向に向けて形成されている。一方、ターンテーブル１０の裏面側には、図２（ｃ）に示すように、各空気取込穴１３の周囲に、一部に開放部１５ａを有する円形のガイド壁１５が形成されている。各開放部１５ａは、各空気取込穴１３におけるターンテーブル１０の回転方向Ａ側のアゲインスト方向に向けて、より詳しく言えば、ターンテーブル１０の中心と各空気取込穴１３の中心とを結ぶ直線に対してターンテーブル１０の回転方向Ａ側の直交方向に向けて形成されている。
【００１７】
次に、このように構成されたターンテーブル１０の動作について図２および図３を参照して説明する。スピンドルモータ９によりターンテーブル１０が回転方向Ａに向けて回転すると、図２において、ターンテーブル１０の裏面において、ガイド壁１５の開放部１５ａから方向Ｂに向けて空気が空気取込穴１３に流入する。開放部１５ａから流入した空気は、ガイド壁１５に阻止案内されて空気取込穴１３に効率よく流入して上昇し、図３に示すように、一部はディスクＤの中心穴Ｈと空気取込穴１３との間の隙間から外部へ流出し、他の一部はディスクＤと空気排出溝１４との間を通って外部へ流出する。ターンテーブル１０が回転している間、このような空気の出入りが発生し、装置内には対流が発生して、装置内の発熱部品が冷却され、装置内の温度上昇が抑えられる。
【００１８】
このように、本実施の形態によれば、ターンテーブル１０の表面および裏面を貫通して形成された空気取込穴１３と、ターンテーブル１０の表面に形成されて一端が空気取込穴１３に連続し、他端がターンテーブル１０の回転方向Ａとは反対側に向けて開放された空気排出溝１４と、ターンテーブル１０の裏面の空気取込穴１３の周囲に形成されて、回転方向側に向けて開放部１５ａを有するガイド壁１５とを備えているので、ターテーブル１０が回転すると、空気が裏面のガイド壁１５に案内されて空気取込穴１３から流入して空気排出溝１４を通って排出されるため、装置内の空気に対流が生じて装置内部を冷却することができる。
【００１９】
なお、上記実施の形態においては、ディスクＤの中心穴Ｈと空気取込穴１３との間に隙間があるが、この隙間は必ずしも必要なものではない。すなわち、空気取込穴１３は、ハブ１２から離れた位置に形成してもよい。また、ガイド壁１５は円形としたが、図４に示すようにコ字形に形成したり、図５に示すようにＵ字形に形成してもよい。
【００２０】
また、上記したようなターンテーブル１０は、図１に示すようなディスク装置以外にも、他の形式、構成を有する種々のディスク装置に適用することができる。
【産業上の利用可能性】
【００２１】
以上のように、本発明に係るディスク装置は、ターンテーブルの回転時に空気取込穴と空気排出溝により生じる対流により装置内部を冷却でき、単純な構成で低コストで装置内を冷却することができるという効果を有し、ディスクを回転させるためのターンテーブルを備えたディスク装置等として有用である。
【図面の簡単な説明】
【００２２】
【図１】本発明の実施の形態におけるディスクチェンジャー型の光ディスク装置の概略構成を示す平面図
【図２】（ａ）本発明の実施の形態におけるターンテーブルの平面図、（ｂ）同ターンテーブルの断面図、（ｃ）同ターンテーブルの下面図
【図３】本発明の実施の形態におけるターンテーブルの動作説明のための概略断面図
【図４】本発明の実施の形態における別のターンテーブルの下面図
【図５】本発明の実施の形態におけるさらに別のターンテーブルの下面図
【符号の説明】
【００２３】
１  筐体
２  ディスク収納部
３  トレイ
４  ディスク挿入口
５  ディスク搬送部
６  記録再生部
７  回転軸
８  光ヘッド
９  スピンドルモータ
１０  ターンテーブル
１１  ハブ
１２  中心穴
１３  空気取込穴
１４  空気排出溝
１５  ガイド壁
１５ａ  開放部
Ａ  ディスク回転方向
Ｂ  空気流入方向
Ｄ  ディスク
Ｈ  中心穴
【図１】
2005353114.tif 000003
【図２】
2005353114.tif 000004
【図３】
2005353114.tif 000005
【図４】
2005353114.tif 000006
【図５】
2005353114.tif 000007